(57)【特許請求の範囲】
【請求項１】
デジタルカメラにより複数の静止画像、及び複数の動画像コマで構成された複数の動画像が混在で撮像された画像データの見出しとなり、かつ所定のレイアウトで前記静止画像及び前記動画像コマがそれぞれ非画像領域である隙間を隔てて配置されると共に前記静止画像及び前記動画像コマの各々の下部の隙間に属性情報を示す属性テキストが表示されるインデックス画像に対応する合成縮小画像を情報処理装置へ送信し、
前記情報処理装置において、前記合成縮小画像から静止画像は静止画として、動画像は動画として再生しながら前記インデックス画像を表示する、
ことを特徴とする画像閲覧システムであって、
前記デジタルカメラが、
転送路の有効転送レートに基づいて抽出した前記動画像の動画像コマを、前記インデックス画像に含まれる前記静止画像と共に抽出された順に前記隙間を省略して前記所定のレイアウトに対応させて各々に配置した前記合成縮小画像を生成する合成生成手段と、
前記合成縮小画像をストリーミング送信する画像送信手段と、
前記画像送信手段による前記合成縮小画像の送信の際に、前記所定のレイアウトに対応させて配置した前記静止画像、及び抽出された前記動画像コマの相対的な配置を維持し、かつ抽出された前記動画像コマ毎に生成される前記合成縮小画像を順次送信するように制御する送信制御手段と、
を有する画像閲覧システム。
【請求項２】
前記インデックス画像の中から特定の前記静止画像又は前記動画像が選択された場合、選択された前記静止画像又は前記動画像の縮小されていない前記画像データを前記デジタルカメラから前記画像処理装置へ送信し、前記画像処理装置で拡大表示する機能を更に有する請求項１記載の画像閲覧システム。
【発明の詳細な説明】
【０００１】
【発明の属する技術分野】
本発明は、被写体像を示す動画像情報又は静止画像情報を取得して記録するデジタルカメラと、当該デジタルカメラに接続され、前記各画像情報を閲覧可能に表示する情報処理装置と、を含む画像閲覧システムに関する。
【０００２】
【従来の技術及び発明が解決しようとする課題】
近年、静止画像に加えて動画像を記録可能であると共に、一般的なパーソナル・コンピュータ（ＰＣ）等の情報処理装置に接続して用いることができるデジタルカメラが商品化されている。このようなデジタルカメラによれば、情報処理装置に接続することによって、当該情報処理装置が備えるディスプレイにおいて撮影済みの静止画像及び動画像を表示したり、それらの画像データを当該情報処理装置が備えるハードディスク等の記録装置に記憶することが可能とされている。
【０００３】
ところで、このようなデジタルカメラを用いてＰＣ側から撮影済みの静止画像及び動画像を閲覧する場合に、デジタルカメラ側から各画像データそのものをＰＣ側へ送信した後、ＰＣ側では、各画像データを用い、各画像データに対応する画像をそれぞれ縮小して同時に表示したり、単一フレーム上に所定のレイアウトで所定数の閲覧用画像が配置されたインデックス画像を作成して表示することがよく行われている。しかし、この場合のＰＣ側でのインデックス画像表示処理は、動画像はそのデータ量が比較的大きいことから、デジタルカメラとＰＣとを接続する転送路のデータ転送レートに依存して制約を受けることがある。そこで、この問題を解消するため、転送路におけるデータ転送を相対的に速くするために、単にもとの動画像データを間引きしたり、リサイズした画像データを送信することで、ＰＣ側でのインデックス画像表示による閲覧用画像の検索性を向上させることが行われている（例えば、特開平５−８１３４９号公報参照）。
【０００４】
しかしながら、上記の先行技術では、ＰＣ側にて表示される閲覧画像の大幅な画像品質の低下が避けられず、画像の検索性を大幅に低下させることがある。特に、ＰＣ側にて、画質の低下を極力抑えて動画像を表示するためには、転送路のデータ転送状態に応じて最適な転送画像のフレームレートを確保することが必要であると共に、ＰＣ側でのインデックス画像表示に必要とされるデジタルカメラからＰＣ側への転送データ量を可能な限り小さくすることが好ましい。ＰＣ側でのインデックス画像表示のための転送データ量を可能な限り小さくすることによって、転送画像のフレームレートに依存せずにインデックス画像の表示レスポンスを向上させることができ、また一方で、インデックス画像における解像度を高めるために、転送画像１フレーム当たりのデータ量を増加させることにも容易に対応することができる。
【０００５】
本発明は、上記の問題点を解決すべく成されたもので、デジタルカメラに接続された情報処理装置において、当該デジタルカメラにより取得された各画像情報を検索閲覧するためインデックス画像を効率的に表示することができる画像閲覧システムを提供することを目的とする。
【０００６】
【課題を解決するための手段】
請求項１に記載の発明は、デジタルカメラにより複数の静止画像、及び複数の動画像コマで構成された複数の動画像が混在で撮像された画像データの見出しとなり、かつ所定のレイアウトで前記静止画像及び前記動画像コマがそれぞれ非画像領域である隙間を隔てて配置されると共に前記静止画像及び前記動画像コマの各々の下部の隙間に属性情報を示す属性テキストが表示されるインデックス画像に対応する合成縮小画像を情報処理装置へ送信し、前記情報処理装置において、前記合成縮小画像から静止画像は静止画として、動画像は動画として再生しながら前記インデックス画像を表示する、ことを特徴とする画像閲覧システムであって、前記デジタルカメラが、転送路の有効転送レートに基づいて抽出した前記動画像の動画像コマを、前記インデックス画像に含まれる前記静止画像と共に抽出された順に前記隙間を省略して前記所定のレイアウトに対応させて各々に配置した前記合成縮小画像を生成する合成生成手段と、前記合成縮小画像をストリーミング送信する画像送信手段と、前記画像送信手段による前記合成縮小画像の送信の際に、前記所定のレイアウトに対応させて配置した前記静止画像、及び抽出された前記動画像コマの相対的な配置を維持し、かつ抽出された前記動画像コマ毎に生成される前記合成縮小画像を順次送信するように制御する送信制御手段と、を有している。
【０００８】
請求項１に記載の発明によれば、デジタルカメラで撮像された静止画像と動画像との見出しであるインデックス画像に対応する合成縮小画像を情報処理装置へ送信し、情報処理装置で、静止画像は静止画として、動画像データは動画像として表示することにより、各画像情報の内容を閲覧するためのインデックス画像を効率的に表示することができ、結果として、各画像情報の検索等の作業効率を向上させることができる。
また、インデックス画像に対応する合成縮小画像を生成する際に、所定領域の隙間を省略することで情報処理装置においてインデックス画像を順次表示する際のデータ転送効率を向上させることができる。
さらに、動画像が含まれる場合にも、その画質の低下を抑えつつ、転送データ量を大幅に小さくしたデータ転送を行なうことができ、インデックス画像を効率的に表示することができる。
請求項２に記載の発明は、前記インデックス画像の中から特定の前記静止画像又は前記動画像が選択された場合、選択された前記静止画像又は前記動画像の縮小されていない前記画像データを前記デジタルカメラから前記画像処理装置へ送信し、前記画像処理装置で拡大表示する機能を更に有している。
【０００９】
【発明の実施の形態】
以下、図面を参照して本発明の実施の形態を詳細に説明する。
【００１０】
図１には、本実施の形態に係る画像閲覧システム１０の概略構成が示されている。この画像閲覧システム１０は、後述するデジタルカメラ１１と、詳細は後述するが、動画像及び静止画像を含む各種の画像データに所定の加工処理を施して、ディスプレイ３０Ａにて表示するためのソフトウェアが搭載された一般的な構成（ＣＰＵ、メモリ、ハードディスク、データ入力装置、データ通信装置等を含む構成）のパーソナルコンピュータ（ＰＣ）本体３０とから構成されており、上記デジタルカメラ１１と上記ＰＣ本体３０とは、ＵＳＢ（Universal Serial Bus）規格のケーブルで構成されたＵＳＢ転送路２８によって接続され、このＵＳＢ転送路２８を介して相互に各種データの授受可能とされている。また、デジタルカメラ１１は、詳細は後述するが、可搬性を有する外部記録メディア３２を装着可能に構成されており、当該外部記録メディア３２に、撮影によって得られた静止画像や動画像の各画像データを各々所定のファイル形式で読み書き可能に記憶することが可能とされている。なお、この外部記録メディア３２としては、スマート・メディア（SmartMedia（Ｒ））、コンパクト・フラッシュ（CompactFlash）、ＡＴＡ（AT Attachment）カード、フロッピィディスク等の可搬記録媒体を採用することができる。
【００１１】
図２には、上記デジタルカメラ１１の概略構成が示されている。このデジタルカメラ１１は、当該デジタルカメラ１１の動作全般の主制御部であるＣＰＵ１２、撮像系制御部１４、画像圧縮／伸張部１６、液晶ディスプレイ（ＬＣＤ）１８Ａの表示制御を行うＬＣＤ制御部１８、内蔵メモリ２０、通信インターフェース（通信Ｉ／Ｆ）２２、及びメディアインターフェース（メディアＩ／Ｆ）２４を主要構成としており、各々がバス２６を介して相互に各種データの授受可能に接続されている。
【００１２】
撮像系制御部１４は、被写体像を撮影するための撮像系（図示せず）を制御して、当該被写体像を動画像或いは静止画像として所望に選択して撮影し、当該被写体像に対応するデジタル画像データとして取得するためのものである。
【００１３】
画像圧縮／伸張部１６は、前記デジタル画像データに対する所定の画像圧縮形式による圧縮処理や、圧縮されたデジタル画像データを圧縮形式に応じた伸張するためのものである。なお、本実施の形態では、前記所定の画像圧縮形式として、静止画像のデジタル画像データに対してはＪＰＥＧ（Joint Photographic Experts Group）フォーマットを採用し、動画像のデジタル画像データに対してはＡＶＩ（Audio Video Interleaved）フォーマットを採用している。
【００１４】
ＬＣＤ制御部１８にはＬＣＤ１８Ａが接続されており、ＬＣＤ１８Ａにおける各種情報の表示制御がなされる。
【００１５】
内蔵メモリ２０は、主として撮影によって得られたデジタル画像データを一時的に記憶するＲＡＭ、及び各種制御プログラムや所定のパラメータ等を予め記憶するＲＯＭを含んで構成されている。なお、前記ＲＡＭは、前記画像圧縮／伸張部１６による圧縮・伸張処理時のワークエリアとしても用いられる。
【００１６】
メディアＩ／Ｆ２４は、撮影によって得られたデジタル画像データを記憶するための外部記録メディア３２との間で各種データの授受を中継するためのものであり、外部記録メディア３２に対する各種データの書込みや、当該外部記録メディア３２に書き込まれている各種データの読み出しを制御する。
【００１７】
通信Ｉ／Ｆ２２は、ＵＳＢ転送路２８を介してＰＣ本体３０との間で各種データの授受を中継するためのものであり、ＰＣ本体３０側から送信されるＵＳＢ転送路２８における有効転送レート値及びディスプレイ３０Ａに表示する画像サイズの情報（要求画像サイズ情報）の受信や、後述するインデックス画像に関わるデータ送信を制御する。
【００１８】
本実施の形態に係る画像閲覧システム１０では、デジタルカメラ１１による撮影によって得られた複数の動画像及び静止画像を閲覧するためにＰＣ本体３０側にて表示される、当該各画像のデジタル画像データに対応する画像情報が所定のレイアウトで配置された上記インデックス画像を作成する。
【００１９】
例えば、ここで作成されるインデックス画像Ｓ１は、図３に示すように、ベースとなるフレーム画像Ｆ上に、上記動画像及び静止画像のデジタル画像データ各々に対応する縮小画像（縮小静止画像Ｐ１〜Ｐ５及び縮小動画像（の１コマ目のコマ画像）Ｍ１〜Ｍ４）及びその属性テキストＴ１〜Ｔ９（画像データファイル名等の属性情報を示すテキスト情報）が、上記所定のレイアウト（本実施の形態では、縦及び横方向にそれぞれ３つずつ合計９つの縮小画像を配置すると共に、各縮小画像の下部に属性テキストを配置したレイアウト）で配置された画像である。
【００２０】
本実施の形態に係る画像閲覧システム１０において上記インデックス画像をＰＣ本体３０側にて表示するにあたり、図４に示すように、デジタルカメラ１１では、外部記録メディア３２に所定のファイル形式で記憶されている動画像及び静止画像に対応するデジタル画像データを、メディアＩ／Ｆ２４を介して読み込み、画像圧縮／伸張部１６にて伸張して、まず、内蔵メモリ２０に一時保持する。
【００２１】
さらに、この内蔵メモリ２０に一時保持された各デジタル画像データに対応する縮小画像を生成する。ここでは、静止画像に対応するデジタル画像データに対しては、それぞれ、もとの静止画像を所定サイズに縮小した縮小静止画像（Ｐ１〜Ｐ５）を生成する。また、動画像に対応するデジタル画像データに対しては、縮小動画像を構成するものとして、それぞれ、もとの動画像を構成するコマ画像を所定の抽出間隔で複数抽出し、抽出した各コマ画像を所定サイズに縮小した縮小コマ画像（例えば、１コマ目の縮小コマ画像Ｍ１〜Ｍ４、２コマ目の縮小コマ画像Ｍ１Ａ〜Ｍ４Ａ、３コマ目の縮小コマ画像Ｍ１Ｂ〜Ｍ４Ｂ等）を生成する。なお、もとの動画像からコマ画像を抽出する抽出間隔は、ＵＳＢ転送路２８における有効転送レート値に基づいて設定される。
【００２２】
さらに、図４に示す如く、生成された縮小静止画像Ｐ１〜Ｐ５及び上記各縮小動画像を構成する１コマ目の縮小コマ画像Ｍ１〜Ｍ４を、上記所定のレイアウトに対応するように隙間なく並べて配置し、１つの画像として合成した合成縮小画像Ｇ１を作成する。
【００２３】
同様に、上記縮小静止画像Ｐ１〜Ｐ５及び上記各縮小動画像を構成する２コマ目の縮小コマ画像Ｍ１Ａ〜Ｍ４Ａを、上記所定のレイアウトに対応するように隙間なく並べて配置し、１つの画像として合成した合成縮小画像Ｇ２を作成すると共に、上記縮小静止画像Ｐ１〜Ｐ５及び上記各縮小動画像を構成する３コマ目の縮小コマ画像Ｍ１Ｂ〜Ｍ４Ｂを、上記所定のレイアウトに対応するように隙間なく並べて配置し、１つの画像として合成した合成縮小画像Ｇ３を作成し、さらに、上記合成縮小画像Ｇ１〜Ｇ３と同様にして、上記縮小静止画像Ｐ１〜Ｐ５及び上記各縮小動画像を構成する４コマ目以降の各縮小コマ画像を用いて、複数の合成縮小画像を作成する。なお、これらの合成縮小画像Ｇ１、Ｇ２、Ｇ３、・・・の各データ量は、上記要求画像サイズ情報に基づいて設定される。
【００２４】
また、図４に示すように、デジタルカメラ１１で作成された各合成縮小画像Ｇ１、Ｇ２、Ｇ３、・・・は、ＵＳＢ転送路２８における有効転送レート値に基づいて設定した転送レートによりＰＣ本体３０側へアイソクロナス転送される（ストリーミング送信）。
【００２５】
ＰＣ本体３０側では、図４に示すように、デジタルカメラ１１から合成縮小画像Ｇ１がストリーミング送信されると、その合成縮小画像Ｇ１に含まれる上記縮小静止画像Ｐ１〜Ｐ５及び上記各縮小動画像を構成する１コマ目の縮小コマ画像Ｍ１〜Ｍ４を上記フレーム画像Ｆ上に上記所定のレイアウトで配置することで、インデックス画像Ｓ１を作成し、ディスプレイ３０Ａにて表示するようになっている。
【００２６】
さらに、デジタルカメラ１１から合成縮小画像Ｇ２がストリーミング送信されると、その合成縮小画像Ｇ２に含まれる上記縮小静止画像Ｐ１〜Ｐ５及び上記各縮小動画像を構成する２コマ目の縮小コマ画像Ｍ１Ａ〜Ｍ４Ａを上記フレーム画像Ｆ上に上記所定のレイアウトで配置することで、インデックス画像Ｓ２を作成し、ディスプレイ３０Ａにて表示するようになっている。
【００２７】
またさらに、デジタルカメラ１１から合成縮小画像Ｇ３がストリーミング送信されると、その合成縮小画像Ｇ３に含まれる上記縮小静止画像Ｐ１〜Ｐ５及び上記各縮小動画像を構成する３コマ目の縮小コマ画像Ｍ１Ｂ〜Ｍ４Ｂを上記フレーム画像Ｆ上に上記所定のレイアウトで配置することで、インデックス画像Ｓ３を作成し、ディスプレイ３０Ａにて表示するようになっている。
【００２８】
なお、以降の合成縮小画像についても、上述の合成縮小画像Ｇ１、Ｇ２、Ｇ３と同様にして各インデックス画像が作成され、ディスプレイ３０Ａにて表示されるようになっている。
【００２９】
次に、本実施の形態の作用について説明する。なお、ここでは、図４を参照しながら、以下の各処理ルーチンについて説明する。
【００３０】
本実施の形態に係る画像閲覧システム１０において、デジタルカメラ１１では図５に示す処理ルーチンが実行される。
【００３１】
まず、ステップ１００では、ＵＳＢ転送路２８における有効転送レート値、及びディスプレイ３０Ａにて表示する表示画像サイズを示す要求画像サイズ情報をＰＣ本体３０側から取得し、取得した要求画像サイズ情報に基づいて各合成縮小画像Ｇ１、Ｇ２、Ｇ３、・・・の各データ量を設定すると共に、取得した有効転送レート値に基づいて各合成縮小画像Ｇ１、Ｇ２、Ｇ３、・・・の転送レートを設定する。
【００３２】
次のステップ１０２では、作成するインデックス画像を構成する各縮小画像に動画像が含まれるか否かを判断し、否定判断の場合には後述するステップ１０６へ進み、肯定判断の場合には次のステップ１０４へ進み、上記ステップ１００で設定された各合成縮小画像Ｇ１、Ｇ２、Ｇ３、・・・の転送レートに対応する抽出間隔で、各動画像を構成するコマ画像を抽出し、所定サイズに縮小した縮小コマ画像を生成する。なお、動画像の抽出の長さとして、ファイルの先頭から内容が確認できるであろう時間帯分を設定してもよい。
【００３３】
次のステップ１０６では、静止画像については所定サイズに縮小して生成した縮小静止画像Ｐ１〜Ｐ５を用い、かつ動画像については上記ステップ１０４で得た各縮小動画像を構成する１コマ目の縮小コマ画像Ｍ１〜Ｍ４を用い、上記ステップ１００で設定したデータ量に従って合成縮小画像Ｇ１を作成すると共に、同様にして、上記縮小静止画像Ｐ１〜Ｐ５を用い、かつ動画像については上記ステップ１０４で得た各縮小動画像を構成する１コマ目の縮小コマ画像Ｍ１Ａ〜Ｍ４Ａを用い、上記ステップ１００で設定したデータ量に従って合成縮小画像Ｇ２を作成する。また、合成縮小画像Ｇ３及びそれ以降の合成縮小画像についても、上記合成縮小画像Ｇ１、Ｇ２と同様にして作成する。
【００３４】
次のステップ１０８では、作成した各合成縮小画像Ｇ１、Ｇ２、Ｇ３、・・・を、上記ステップ１００で設定した転送レートによってＰＣ本体３０へストリーミング送信して、本処理ルーチンを終了する。
【００３５】
また、ＰＣ本体３０では、図６に示す処理ルーチンが実行される。
【００３６】
まず、ステップ２００では、デジタルカメラ１１からストリーミング送信された合成縮小画像Ｇ１（、Ｇ２、Ｇ３、・・・）を受信したか否かが判断され、否定判断の場合には後述するステップ２０６へ進み、肯定判断の場合には次のステップ２０２へ進み、受信した合成縮小画像Ｇ１（、Ｇ２、Ｇ３、・・・）を用いて、その合成縮小画像Ｇ１（、Ｇ２、Ｇ３、・・・）から得られる縮小静止画像Ｐ１〜Ｐ５と、各縮小動画像を構成する１コマ目の縮小コマ画像Ｍ１〜Ｍ４（各縮小動画像を構成する２コマ目の縮小コマ画像Ｍ１Ａ〜Ｍ４Ａ、各縮小動画像を構成する３コマ目の縮小コマ画像Ｍ１Ｂ〜Ｍ４Ｂ、・・・）とを上記所定のレイアウトで配置したインデックス画像Ｓ１（、Ｓ２、Ｓ３、・・・）を作成して、次のステップ２０４に進み、作成されたインデックス画像Ｓ１（、Ｓ２、Ｓ３、・・・）をディスプレイ３０Ａにて表示し、次のステップ２０６へ進む。
【００３７】
ここで、ユーザによりＰＣ本体３０或いはデジタルカメラ１１に対してインデックス画像表示の終了指示がなされた場合には、上記ステップ２０６で肯定判断され、本処理ルーチンを終了することで、インデックス画像表示を終了する。
【００３８】
一方、ユーザによりＰＣ本体３０或いはデジタルカメラ１１に対してインデックス画像表示の終了指示がない場合には、上記ステップ２０６で否定判断され、上記ステップ２００へ戻り、上記処理を繰り返す。
【００３９】
従って、ＰＣ本体３０側では、ディスプレイ３０Ａに表示されるインデックス画像を、デジタルカメラ１１からストリーミング送信される各合成縮小画像Ｇ１、Ｇ２、Ｇ３、・・・に基づいて順次作成して表示することで、デジタルカメラ１１からＰＣ本体３０へのデータ転送量を少なくすることができ、ＰＣ本体３０においてインデックス画像を良好に表示することができる。このようにして、ＰＣ本体３０側にて表示されるインデックス画像における縮小動画像は動きを伴う表示を行なうことができ、その内容が確認しやすくなる。なお、ここで表示されたインデックス画像から見たい映像を選択すると、選択された動画像又は静止画像が拡大表示されるようにしてもよい。この場合も、選択された画像のみをストリーミング送信してもよく、また、ダウンロード送信してもよい。なお、ＵＳＢ転送路２８の転送レートが、デジタルカメラ１１の通信Ｉ／Ｆ２２に依存する場合には、デジタルカメラ１１側で規定される転送レートで送信するようにしてもよい。
【００４０】
以上のように、本実施の形態に係る画像閲覧システムによれば、ＰＣ本体側にて表示するインデックス画像について、動画像が含まれる場合にも、その画質の低下を抑えつつ、転送データ量を大幅に小さくしたデータ転送を行なうことができ、インデックス画像を効率的に表示することができる。
【００４１】
なお、本実施の形態では、デジタルカメラ１１とＰＣ本体３０とをＵＳＢ接続する場合について説明したが、これに限らず、ＵＳＢ以外の有線通信（例えば、ＩＥＥＥ１３９４等）により接続する形態や、無線通信（例えば、ブルートゥース、ＩｒＤＡ等）により接続する形態を採用してもよい。この場合にも、本実施の形態と同様の効果を奏することができる。
【００４２】
また、本実施の形態では、デジタル画像データの圧縮形式としてＪＰＥＧフォーマット及びＡＶＩフォーマットを採用した場合について説明したが、これに限らず、例えば、Ｍ−ＪＰＥＧ（Motion-JPEG）フォーマットやＭＰＥＧ（Moving Picture Experts Group）フォーマット等の他の圧縮形式を採用してもよい。この場合にも、本実施の形態と同様の効果を奏することができる。
【００４３】
【発明の効果】
以上説明したように、本発明によれば、デジタルカメラ側から、インデックス画像に含まれる各閲覧用画像を含んで構成された送信用画像を順次送信すると共に、情報処理装置にて、各送信用画像が受信される毎に、当該送信用画像に含まれる前記各閲覧用画像に基づいて前記インデックス画像を作成して順次表示するようにしたので、デジタルカメラに接続された情報処理装置において、当該デジタルカメラにより取得された各画像情報を検索閲覧するためインデックス画像を効率的に表示することができる画像閲覧システムを提供することができる、という優れた効果を有する。
【図面の簡単な説明】
【図１】本発明の実施の形態に係る画像閲覧システムの概略構成を示す図である。
【図２】本発明の実施の形態に係るデジタルカメラの概略構成を示す図である。
【図３】本発明の実施の形態に係るインデックス画像の一例を説明するための図である。
【図４】本発明の実施の形態に係るデジタルカメラ及びＰＣ間におけるインデックス画像に関わるデータ転送の一例を説明するための図である。
【図５】本発明の実施の形態に係る画像転送処理の流れを示すフローチャートである。
【図６】本発明の実施の形態に係る画像表示処理の流れを示すフローチャートである。
【符号の説明】
１０    画像閲覧システム
１１    デジタルカメラ
１２    ＣＰＵ
１６    画像圧縮／伸張部
２０    内蔵メモリ
２２    通信Ｉ／Ｆ
２４    メディアＩ／Ｆ
２６    バス
２８    ＵＳＢ転送路
３０    ＰＣ本体
３０Ａ  ディスプレイ
３２    外部記録メディア
【図１】
0004119679.tif 000002
【図２】
0004119679.tif 000003
【図３】
0004119679.tif 000004
【図４】
0004119679.tif 000005
【図５】
0004119679.tif 000006
【図６】
0004119679.tif 000007